(57)【要約】【課題】エネルギー監視機能が有効に活用できてセキュリティ機能の設定を自動で行うことができる宅内総合監視システムを提供する。【解決手段】電力、ガス、水道などのエネルギーの使用量を監視するエネルギー監視機能と、扉の開閉を検知する扉開閉センサを有して建物の状態を監視し、異常が発生した場合に警報を出力するセキュリティ機能とを備え、エネルギーの使用量が所定値以下となって一定時間経過した場合にセキュリティ機能が警戒状態に設定され、扉の開閉を正常に行った場合、若しくは、扉の開閉が行われていない状態でエネルギーの使用量が所定値を超えた場合にセキュリティ機能の警戒状態が解除される。【選択図】図２
2008040986.tif 000002
【特許請求の範囲】
【請求項１】
電力、ガス、水道などのエネルギーの使用量を監視するエネルギー監視機能と、少なくとも扉の開閉を検知する扉開閉センサを有して建物の状態を監視し、異常が発生した場合に警報を出力するセキュリティ機能とを備え、前記エネルギーの使用量が所定値以下となって一定時間経過した場合に前記セキュリティ機能が警戒状態に設定されることを特徴とする宅内総合監視システム。
【請求項２】
前記扉の開閉を正常に行った場合、若しくは、前記扉の開閉が行われていない状態で前記エネルギーの使用量が所定値を超えた場合に前記セキュリティ機能の警戒状態が解除されることを特徴とする請求項１に記載の宅内総合監視システム。
【発明の詳細な説明】
【技術分野】
【０００１】
本発明は、住宅内のエネルギーとセキュリティとを監視する宅内総合監視システムに関する。
【背景技術】
【０００２】
従来から住宅の電力、ガス、水道などのエネルギーを監視するために、これらのエネルギーの使用量を計測し、計測した使用量のデータを蓄積して必要に応じて確認できるようにしたエネルギー監視装置がある（例えば、引用文献１参照。）。また、住宅の扉の開閉を検知する扉開閉センサや窓の開閉を検知する窓開閉センサなどの各種センサを有して建物の異常を監視するセキュリティ装置があり（例えば、特許文献２参照。）、これらのエネルギー監視装置とセキュリティ装置は個別に設けられていた。
【０００３】
【特許文献１】特開２００４−１３１９４号公報
【特許文献２】特開２００６−４０４０号公報
【発明の開示】
【発明が解決しようとする課題】
【０００４】
エネルギー監視装置はエネルギーの使用量を表示することで省エネ意識の高揚を図り、エネルギーの節約に貢献することを目的としているが、有効に活用されないこともあった。また、セキュリティ装置は警戒状態の設定と解除を手動で行わなければならず、セキュリティの解除のために専用の鍵を用意しなければならないという問題があった。
【課題を解決するための手段】
【０００５】
本発明は、請求項１に記載の発明によれば、電力、ガス、水道などのエネルギーの使用量を監視するエネルギー監視機能と、少なくとも扉の開閉を検知する扉開閉センサを有して建物の状態を監視し、異常が発生した場合に警報を出力するセキュリティ機能とを備え、エネルギーの使用量が所定値以下となって一定時間経過した場合にセキュリティ機能が警戒状態に設定されることを特徴とする。
【０００６】
請求項２に記載の発明によれば、請求項１に記載の宅内総合監視システムにおいて、扉の開閉を正常に行った場合、若しくは、扉の開閉が行われていない状態でエネルギーの使用量が所定値を超えた場合にセキュリティ機能の警戒状態が解除されることを特徴とする。
【発明の効果】
【０００７】
請求項１に記載の発明によれば、エネルギー監視機能が有効に活用できてセキュリティ機能の設定を自動で行うことができるという効果がある。
【０００８】
請求項２に記載の発明によれば、請求項１に記載の発明の効果に加えて、専用の解除用の鍵を用意する必要がなく、また、セキュリティ機能の解除を自動で行うことができるという効果がある。
【発明を実施するための最良の形態】
【０００９】
電力、ガス、水道などのエネルギーの使用量を監視するエネルギー監視機能と、扉の開閉を検知する扉開閉センサを有して建物の状態を監視し、異常が発生した場合に警報を出力するセキュリティ機能と備え、エネルギーの使用量が所定値以下となって一定時間経過した場合にセキュリティ機能が警戒状態に設定され、扉の開閉を正常に行った場合、若しくは、扉の開閉が行われていない状態でエネルギーの使用量が所定値を超えた場合にセキュリティ機能の警戒状態が解除される。
【実施例１】
【００１０】
本発明に係る宅内総合監視システムの実施例１を図１〜図３の添付図面に基づいて説明する。
【００１１】
宅内総合監視システム１は、電力２、ガス３、水道４などのエネルギーの使用量を常時計測し、計測した使用量のデータを蓄積して必要に応じて確認できるようにしたエネルギー監視機能と、扉の開閉を検知する扉開閉センサ５と、窓の開閉を検知する窓開閉センサ６とを有して建物の状態を監視し、異常が発生した場合に警報７を出力するセキュリティ機能とを備えている。
【００１２】
セキュリティ機能の警戒状態の設定と解除は手動又は自動で行うことができるようになっている。そこでセキュリティ機能の動作について説明する。
【００１３】
セキュリティ機能が非警戒状態においては、手動により警戒状態の設定がされたかどうかを監視している（ステップＳ１）。そこで手動により警戒状態の設定をすると（ステップＳ１−Ｙ）は警戒開始処理を行い（ステップＳ２）、警戒状態へ移行させることができる。また、手動による警戒状態の設定がされていない状態では（ステップＳ１−Ｎ）、建物内で人が活動しているかどうか調べるためにエネルギーの使用量が予め設定した所定値以下であるかどうかを監視している（ステップＳ３）。このとき、エネルギーの使用量が所定値以下でない場合は（ステップＳ３−Ｎ）、建物内で人が活動していると判断され、手動により警戒状態の設定がされたかどうかの監視を継続し（ステップＳ１）、また、エネルギーの使用量が所定値以下である場合は（ステップＳ３−Ｙ）、建物から人が出たか或いは人が休息して活動を停止したと判断できるが、これを確定するために所定値以下の状態が所定時間経過したかどうかをチェックする（ステップＳ４）。そして、所定値以下の状態が所定時間経過しなかった場合は（ステップＳ４−Ｎ）、建物内の人が活動を停止していないと判断して、再び、ステップＳ１に戻って手動により警戒状態の設定がされたかどうかの監視を継続し、所定値以下の状態が所定時間経過した場合は（ステップＳ４−Ｙ）、建物から人が出たか休息により活動を停止したと判断して警戒開始処理を行い（ステップＳ２）、警戒状態へ移行するようになっている（ステップＳ２）。
【００１４】
また、警戒状態においては、扉開閉センサや窓開閉センサなどのセンサにより異常があるかどうかを監視している（ステップＳ１１）。ここでセンサに反応があった場合（ステップＳ１１−Ｙ）は扉が正常に開閉されたかどうかを調べ（ステップＳ１２）、扉の開閉が正常に行われていない場合は（ステップＳ１２−Ｎ）、異常と断定して警報を出力するようになっている（ステップＳ１３）。なお、警報出力は手動で一旦停止させて警戒状態に復帰操作させても良いし、何も操作しなくても一定時間経過すると自動的に停止して警戒状態に復帰するようになっている。また、扉の開閉が正常に行われた場合は（ステップＳ１２−Ｙ）、異常でないと断定して警戒状態の解除処理を行い（ステップＳ１４）、非警戒状態に移行するようになっている。また、ステップＳ１１においてセンサに反応がない状態では（ステップＳ１１−Ｎ）、手動により監視状態の解除がされたかどうかを監視し（ステップＳ１５）、手動により監視状態の解除がされた場合（ステップＳ１５−Ｙ）は監視状態の解除処理を行う（ステップＳ１４）。また、手動により警戒状態の解除がされていない状態では（ステップＳ１５−Ｎ）、エネルギーの使用量が設定値以上かどうかを監視している（ステップＳ１６）。そして、エネルギーの使用量が設定値より低ければ（ステップＳ１６−Ｎ）、建物内に人がいないか休息中と判断して警戒状態を継続し、エネルギー使用量が設定値以上になれば（ステップＳ１６−Ｙ）、建物内にいた人が活動を開始したと判断して警戒状態の解除処理を行うようになっている（ステップＳ１４）。
【図面の簡単な説明】
【００１５】
【図１】本発明に係る宅内総合監視システムの説明図である。
【図２】本発明に係る宅内総合監視システムの非警戒状態の動作を示すフローチャートである。
【図３】本発明に係る宅内総合監視システムの警戒状態の動作を示すフローチャートである。
【符号の説明】
【００１６】
１    宅内総合監視システム
２    電力
３    ガス
４    水道
５    扉開閉センサ
６    窓開閉センサ
７    警報
【図１】
2008040986.tif 000003
【図２】
2008040986.tif 000004
【図３】
2008040986.tif 000005